(57)【要約】【課題】  撮影時においても、再生画像に対して特殊効果処理を行った場合の画像を容易に確認可能とする。【解決手段】特殊効果処理部１０７は、画像伸張部１０６により伸張された画像データに対して特殊効果を施し、画像表示部１０９は、カメラ部１０１から出力される画像データに係る表示画像と特殊効果処理部１０７により特殊効果が施された画像データとを選択又は合成して表示する。【選択図】  図１
2006324802.tif 000002
【特許請求の範囲】
【請求項１】
被写体を撮影し、前記被写体の画像データを出力する撮像手段と、
前記撮像手段より出力される画像データに対して圧縮及び伸張処理を実行可能な画像処理手段と、
前記画像処理手段により圧縮処理された画像データを記録媒体に記録する記録手段と、
前記画像処理手段により圧縮及び伸張処理された画像データに対して特殊効果を施す特殊効果処理手段と、
前記撮像手段より出力される画像データに係る表示画像と前記特殊効果処理手段により特殊効果が施された画像データに係る表示画像を、表示手段上に選択又は合成して表示させる表示制御手段とを有することを特徴とする撮像装置。
【請求項２】
前記画像処理手段は、フレーム間予測を用いた画像圧縮処理を実行して圧縮処理された画像データを出力するとともに、該画像圧縮処理の過程の復号処理によって生成されるローカルデコード画像データを出力することを特徴とする請求項１に記載の撮像装置。
【請求項３】
前記撮像手段より出力される画像データと、前記特殊効果処理手段により特殊効果が施された画像データとを所定の表示形態となるよう合成する合成処理手段を更に有することを特徴とする請求項１又は２に記載の撮像装置。
【請求項４】
前記合成処理手段は、前記特殊効果処理手段により特殊効果が施された画像データのための表示領域の一部に、前記撮像手段より出力される画像データに係る表示画像が表示されるような合成処理を行うことを特徴とする請求項３に記載の撮像装置。
【請求項５】
前記特殊効果処理手段により特殊効果が施された画像データのうちの任意の領域の画像データを指定する領域指定手段を更に有し、
前記合成処理手段は、前記特殊効果処理手段により特殊効果が施された画像データのうち前記領域指定手段により指定された領域の画像データを拡大処理して生成した拡大表示画像と前記撮像手段より出力される画像データに係る表示画像とが合成されて表示されるように合成処理を行うことを特徴とする請求項３又は４に記載の撮像装置。
【請求項６】
前記特殊効果処理手段より入力される画像データと、当該画像データの一部領域を拡大した拡大画像データとを合成する合成処理手段を更に有し、
前記表示制御手段は、前記合成処理手段により合成された画像データに係る表示画像を前記表示手段上に表示させるように制御することを特徴とする請求項１又は２に記載の撮像装置。
【請求項７】
前記合成処理手段は、前記拡大画像データのための表示領域の一部に、前記特殊効果処理手段より入力される画像データに係る表示画像が表示されるような合成処理を行うことを特徴とする請求項６に記載の撮像装置。
【請求項８】
前記合成処理手段は、前記特殊効果処理手段より入力される画像データのための表示領域の一部に、前記拡大画像データに係る表示画像が表示されるような合成処理を行うことを特徴とする請求項６に記載の撮像装置。
【請求項９】
前記拡大画像データとする前記一部領域として、前記特殊効果処理手段より入力される画像データのうちの任意の領域を指定する領域指定手段を更に有することを特徴とする請求項６乃至８の何れか１項に記載の撮像装置。
【発明の詳細な説明】
【技術分野】
【０００１】
本発明は、撮影した画像データに対して特殊効果処理を行うことが可能な撮像装置に関するものである。
【背景技術】
【０００２】
近年のビデオカメラやデジタルカメラはカメラで撮影した画像データをＭＰＥＧ２等の画像圧縮符号化方式を用い、画像データを圧縮伸張し記録媒体に記録再生を行うものが主流となっている。またデジタル技術の進歩により記録された画像に様々な特殊効果を行って表示させる機能も一般的となっている。
【０００３】
それらの中にはカメラで撮影した画像データとその画像に施す特殊効果に関する付加情報とを記録媒体に記録しておき、画像データを再生する際に付加情報に基づく特殊効果処理を行い再生できるものがある。
【０００４】
上記技術に関する提案として例えば特許文献１に開示される発明がある。この提案は撮影した画像を記録する場合、画像信号に対しては特殊効果処理をせずそのまま記録し、撮影者が操作した特殊効果に関する情報は付加情報として記録する。そして再生時に再生画像に対し、前述した特殊効果に関する付加情報に基づく特殊効果処理を施して表示するというものである。
【０００５】
【特許文献１】特開平１１−２０５７５４号公報
【発明の開示】
【発明が解決しようとする課題】
【０００６】
しかしながら、前述した従来例では、撮影時に意図したような再生画像にならない場合がある。以降その具体例について説明する。ビデオカメラやデジタルカメラで多く用いられているＭＰＥＧ２等に代表される動画像圧縮方式では、被写体の動きが複雑な場合や、被写体中に高周波成分が多い場合には圧縮伸張された画像に画質の劣化が発生する。その場合、再生画像中にはモスキートノイズやブロックノイズと呼ばれる圧縮された画像に特有のノイズ成分が多く含まれるようになる。
【０００７】
一方、特殊効果の中にはカメラで撮影した画像にフィルム特有の細かな粒子状のノイズを付加して、あたかも映画用フィルムカメラで撮影したかのような画像にするものがあり、一般的に「フィルムグレイン」と称されている。
【０００８】
ここで、前述したような複雑な画像を撮影しながらフィルムグレイン処理を行う指示をしたとする。そしてその画像を再生した場合、再生されたカメラ画像には前述したようにモスキートノイズやブロックノイズと呼ばれるノイズ成分が多く含まれるようになる。その画像にフィルムグレイン処理を行い細かな粒子状のノイズを付加すると、最終的に表示される画像中にはノイズ成分が必要以上に増えてしまい見苦しい画像になる場合がある。
【０００９】
しかしながら、従来例のシステムではそのような状況を撮影時に事前に確認する手段がなく、撮影した画像に対して意図した通りの特殊効果が行えるか否かを確認するには何度も再生して確認しなければならず手間がかかり問題であった。
【００１０】
そこで、本発明の目的は、撮影時においても、再生画像に対して特殊効果処理を行った場合の画像を容易に確認可能とすることにある。  
【課題を解決するための手段】
【００１１】
本発明の撮像装置は、被写体を撮影し、前記被写体の画像データを出力する撮像手段と、前記撮像手段より出力される画像データに対して圧縮及び伸張処理を実行可能な画像処理手段と、前記画像処理手段により圧縮処理された画像データを記録媒体に記録する記録手段と、前記画像処理手段により圧縮及び伸張処理された画像データに対して特殊効果を施す特殊効果処理手段と、前記撮像手段より出力される画像データに係る表示画像と前記特殊効果処理手段により特殊効果が施された画像データに係る表示画像を、表示手段上に選択又は合成して表示させる表示制御手段とを有することを特徴とする。
【発明の効果】
【００１２】
本発明によれば、撮影時においても、再生画像に対して特殊効果処理を行った場合の画像を容易に確認することが可能となる。
【発明を実施するための最良の形態】
【００１３】
以下、本発明を適用した好適な実施形態を、添付図面を参照しながら詳細に説明する。
【００１４】
先ず、本発明の第１の実施形態について説明する。図１は、本発明の第１の実施形態に係る撮像装置の構成を示すブロック図である。図１中１０１は被写体を撮像しカメラ画像を出力するカメラ部、１０２は入力された画像をＭＰＥＧ２など所定の画像圧縮方式で圧縮符号化する画像圧縮部、１０３は圧縮された画像データを所定の形式で記録媒体に記録再生を行う記録再生部、１０４は記録媒体、１０５はデータ選択部、１０６は圧縮符号化された画像データを復号し伸張する画像伸張部、１０７は前述したフィルムグレイン等の特殊効果処理を行う特殊効果処理部、１０８は画像選択部、１０９はＬＣＤモニタなどで構成される画像表示部、１１０は撮像装置全体を統合的に制御する制御部（ＣＰＵ）である。１１１は特殊効果表示スイッチ１１１ａを含み、その他、撮像装置に対して録画開始の指示や各種の入力を行う操作部である。
【００１５】
次に図１に示す撮像装置の撮影時における動作について説明する。まず被写体からの光学像はカメラ部１０１により所定のカメラ信号処理が施され、カメラ画像として画像選択部１０８の端子１０８ａ、及び画像圧縮部１０２に入力される。
【００１６】
画像圧縮部１０２に入力されたカメラ画像はＭＰＥＧ２等の画像圧縮方式により圧縮され、圧縮画像データとして記録再生部１０３、及びデータ選択部の端子１０５ａに入力される。記録再生部１０３に入力された圧縮画像データは操作部１１１から録画開始の指示があると所定の形式で記録媒体１０４に記録される。なお記録媒体には、ハードディスク、光ディスク、光磁気ディスク、磁気テープ、不揮発性のメモリカード等を用いることができる。
【００１７】
データ選択部１０５では、制御部１１０からの制御信号により撮影時は端子１０５ａから入力されるデータを選択するよう動作する。即ち記録媒体１０４に記録すべく圧縮された圧縮画像データ、言い換えれば現在カメラ部が撮影している画像を圧縮して記録媒体に記録し、再生した時と同一の圧縮画像データが端子１０５ｃから出力されるようになる。
【００１８】
その後、データ選択部１０５の出力は画像伸張部１０６へ入力される。画像伸張部１０６では圧縮された画像データを伸張し、ベースバンドの伸張画像に変換する。伸張された画像は特殊効果処理部１０７へ入力される。特殊効果処理部１０７では前述したフィルムグレイン処理をはじめとする様々な特殊効果を入力された画像に対して実行可能とする。なお、伸張画像に対して行う特殊効果の種類やタイミングの指示は操作部１１１から入力され、特殊効果情報として制御部１１０に制御されて特殊効果処理部１０７に入力される。また特殊効果情報は記録再生部１０３にも入力され、記録される圧縮画像データの付加情報として記録媒体１０４に記録される。ここで記録された特殊効果情報は、圧縮画像データの再生時に同時に読み出して、再生画像に対する特殊効果処理の制御情報として用いることもできる。このように特殊効果処理部１０７で特殊効果が施された画像は画像選択部１０８の端子１０８ｂに入力される。
【００１９】
いまここで、撮影者が撮影中に操作部１１１の特殊効果表示スイッチ１１１ａを押下したとする。その場合、制御部１１０は画像選択部１０８に対し１０８ｂを選択するよう指示する。その結果、画像選択部１０８ｃからは伸張画像に対して特殊効果処理が施された画像が出力され、画像表示部１０９に表示される。
【００２０】
一方、特殊効果表示スイッチ１１１ａが押下されていない場合、制御部１１０は画像選択部１０８に対し１０８ａを選択するよう指示する。その結果、画像選択部１０８ｃからは現在撮影しているカメラ部１０１からのカメラ画像が出力され、画像表示部１０９に表示される。
【００２１】
このように特殊効果表示スイッチ１１１ａの操作により画像選択部１０８を適宜切り換えることで、カメラ画像と伸張画像に特殊効果処理を施した画像とを容易に切り換えて表示させることができる。言い換えれば録画を開始する前に、現在撮影しているカメラ画像を圧縮処理して記録再生した時の画像に対して特殊効果を施した場合に、どのような画像になるかを撮影時に容易に確認することが可能になる。
【００２２】
そして確認した結果に問題がなければ操作部１１１内の録画開始スイッチを押下して記録を開始する。また確認した結果、特殊効果を施しても所望の画像とならないと判断した場合は他の特殊効果を選択したり、特殊効果を施さない設定にしたりすればよい。
【００２３】
なお、図２は記録媒体に記録された圧縮画像データと特殊効果情報を示す概略図である。図２に示すように圧縮画像データ２０２の付加情報として特殊効果情報２０１が記録される。
【００２４】
次に図１に示す撮像装置の再生時の動作について説明する。再生時には記録再生部１０３は、記録媒体１０４内に図２で示したように記録されている圧縮画像データ２０２、特殊効果情報が記録されている場合はさらに特殊効果情報２０１を読み出す処理を行う。再生された圧縮画像データはデータ選択部１０５の端子１０５ｂに入力される。また再生された特殊効果情報は制御部１１０を経由して特殊効果処理部１０７に入力される。
【００２５】
データ選択部１０５は制御部１１０からの制御信号により端子１０５ｂから入力されるデータを選択するよう動作する。即ち記録媒体１０４から再生された圧縮画像データが選択され端子１０５ｃから出力される。その後、画像伸張部１０６で圧縮された画像データが伸張されベースバンドの伸張画像に変換される。伸張された画像は特殊効果処理部１０７へ入力される。特殊効果処理部１０７では再生された特殊効果情報に応じた特殊効果処理が行われる。そして特殊効果が施された画像は画像選択部１０８の端子１０８ｂに入力される。再生時において制御部１１０は画像選択部１０８に対し１０８ｂを選択するよう指示する。その結果、画像選択部１０８からは記録媒体から再生された伸張画像に対して特殊効果処理が施された画像が出力され、画像表示部１０９に表示される。
【００２６】
このように画像表示部１０９に再生表示された画像は、撮影前に事前に特殊効果の確認ができているので、再生画像が意図しない特殊効果画像になってしまうことはなくなる。
【００２７】
なお、撮影時において、本実施形態では特殊効果表示スイッチ１１１ａを押下している間のみ伸張画像に特殊効果処理を施した画像が表示されるようになっているが必ずしもそうである必要はない。例えば、撮像装置の状態を操作部１１１からの指示により、特殊効果表示モードに遷移させ、特殊効果処理した画像を所定期間連続的に表示するようにしても良い。
【００２８】
また、撮影時において特殊効果処理した画像を表示している期間に、カメラ部の手動フォーカス調整や手動露出調整などの操作を検出したら、自動的にカメラ画像の表示へ切り換えるようにしても良い。
【００２９】
なお、本実施形態では図１において画像圧縮部１０２と画像伸張部１０６とを分離して記述したが、これは説明を簡略化する為のものであり、画像の圧縮や伸張を１つの回路ブロック、１つのＬＳＩ等で行えるシステムに本発明を適用しても本発明の範疇に入ることは言うまでもない。
【００３０】
また、本実施形態では圧縮画像データを選択するデータ選択部１０５を設けているが、これも説明を簡略化する為のものであり、記録再生部１０３内に該データ選択部を内蔵させる構成にしてもよい。
【００３１】
＜第２の実施形態＞
次に、本発明の第２の実施形態について説明する。本実施形態の特徴はＭＰＥＧ２等に代表されるフレーム間予測を用いた画像圧縮方式で、画像を圧縮する過程で生成される所謂「ローカルコード画像」に対して特殊効果処理を施す点にある。更にカメラ画像と特殊効果処理を施された画像とを画像表示部に表示する際に、２つの画像を合成して表示させる点も本実施形態の特徴となっている。なお本実施形態では画像圧縮方式をＭＰＥＧ２として説明する。
【００３２】
図３に示す本実施形態に係る撮像装置の構成について説明する。図中３０１は被写体を撮像しカメラ画像を出力するカメラ部、３０２は入力された画像をＭＰＥＧ２方式により圧縮符号化する画像圧縮部であり、圧縮画像データとローカルデコード画像を出力する。なおローカルデコード画像や画像圧縮部３０２の詳細な説明は後述する。３０３は圧縮されたデータを所定の形式で記録媒体に記録再生を行う記録再生部、３０４は記録媒体、３０５は圧縮符号化された画像データをＭＰＥＧ２方式により復号し伸張する画像伸張部、３０６は画像選択部、３０７はフィルムグレイン等の特殊効果処理を行う特殊効果処理部、３０８は画像合成部、３０９はＬＣＤモニタなどで構成される画像表示部、３１０は撮像装置全体を統合的に制御する制御部である。３１１は特殊効果確認スイッチ３１１ａを含み、その他撮像装置に対して録画開始の指示や各種の入力を行う操作部である。
【００３３】
ここでローカルデコード画像やＭＰＥＧ２方式を用いた画像圧縮部３０２の詳細な構成について図４を用いて説明する。
【００３４】
図４において端子３０２ａから入力されたカメラ画像はフレーム間予測を行う為にフレームメモリ４０１で画面の並べ替えが行われる。次に減算器４０２では入力される画像から予測画像を減算し予測残差信号を出力する。予測画像の生成については後述する。
【００３５】
ＤＣＴ変換部４０３は予測残差信号を８×８画素ブロック単位でＤＣＴ変換を行い空間周波数領域に変換しＤＣＴ係数を出力する。そして、量子化部４０４で前記ＤＣＴ係数を所定の量子化パラメータを用いて量子化する。
【００３６】
可変長符号化部４０５は、量子化部４０４で量子化されたＤＣＴ係数を入力し、これを可変長符号化して圧縮画像データとして端子３０２ｂから出力される。
【００３７】
一方、量子化部４０４で量子化されたＤＣＴ係数は予測画像データの生成にも使われる。逆量子化部４０６は、量子化部４０４で量子化されたＤＣＴ係数を逆量子化する。さらに、逆ＤＣＴ変換部４０７は逆量子化部４０６で逆量子化されたＤＣＴ係数を逆ＤＣＴ変換し、復号画像残差信号として出力する。加算器４０８は、復号画像残差信号と予測画像信号とを加算し参照画像データを出力する。そして参照画像データはフレームメモリ４０９に記録される。
【００３８】
またフレームメモリ４０９ではフレームメモリ４０１で行われた画像の並び順に戻され、ローカルデコード画像として外部に出力される。ここで出力されるローカルデコード画像の画質は図３の画像伸張部３０５においてＭＰＥＧ２方式で復号した場合と同一となる。即ち、記録媒体３０４に記録すべく圧縮された圧縮画像データを図３の画像伸張部３０５で伸張した場合と同一の画像がローカルデコード画像として端子３０２ｃから出力される。
【００３９】
動き補償部４１０は、フレームメモリ４０９に記録された参照画像データを用いて動き検出部４１１によって検出された動きベクトル情報に基づいてフレーム間予測処理を行い予測画像を生成する。動き検出部４１１は入力画像における動きベクトルを検出し、検出した動きベクトル情報を動き補償部４１０と可変長符号化部４０５へ出力する。スイッチ４１２、４１３は、フレーム内予測、フレーム間予測のどちらを用いるか選択するためのスイッチである。予測画像は減算器４０２、及び加算器４０８へ出力される。以上が画像圧縮部３０２及びローカルデコード画像に関する詳細な説明である。
【００４０】
次に図３に示す撮像装置の撮影時における動作について説明する。まず被写体からの光学像はカメラ部３０１により所定のカメラ信号処理が施され、カメラ画像として画像合成部３０８の端子３０８ａ、及び画像圧縮部３０２の端子３０２ａに入力される。
【００４１】
画像圧縮部３０２に入力されたカメラ画像は前述したＭＰＥＧ２の画像圧縮方式により圧縮され、端子３０２ｂから圧縮画像データが出力される。また端子３０２ｃから前述したローカルデコード画像が出力される。
【００４２】
画像圧縮部３０２の端子３０２ｂから記録再生部３０３に入力された圧縮画像データは操作部から録画開始の指示があると所定の形式で記録媒体３０４に記録される。なお記録媒体には、ハードディスク、光ディスク、光磁気ディスク、磁気テープ、不揮発性のメモリカード等を用いることができる。
【００４３】
画像圧縮部３０２の端子３０２ｃから出力されたローカルデコード画像はデータ選択部３０６の端子３０６ａに入力される。
【００４４】
データ選択部３０６では制御部３１０からの制御信号により端子３０６ａから入力されるデータを選択するよう動作する。即ち、記録媒体３０４に記録すべく圧縮された圧縮画像データを図３の画像伸張部３０５で伸張した場合と同一の画像が端子３０６ｃから出力されるようになる。
【００４５】
そして、データ選択部３０６の出力は特殊効果処理部３０７へ入力される。特殊効果処理部３０７では前述したフィルムグレイン処理をはじめとする様々な特殊効果を入力された画像に対して実行可能とする。特殊効果の種類やタイミングの指示は第１の実施形態と同様に操作部３１１から入力され、特殊効果情報として制御部３１０に制御されて特殊効果処理部３０７に入力される。また特殊効果情報は記録再生部３０３にも入力され圧縮画像データの付加情報として記録媒体３０４に記録される。このように特殊効果処理部３０７で特殊効果が施された画像は画像合成部３０８の端子３０８ｂに入力される。
【００４６】
次に画像合成部３０８の動作について説明する。ここでは画像合成部３０８の端子３０８ａに入力されるカメラ画像が図５に示すもので、端子３０８ｂに入力される特殊効果が施された画像が図６に示すものであった場合を例にして説明する。
【００４７】
いまここで、撮影者が操作部３１１の特殊効果表示スイッチ３１１ａを押下したとする。その場合、制御部３１０は画像合成部３０８に対し３０８ｂから入力された画像の中に３０８ａから入力されたカメラ画像を小さく縮小して合成する、所謂ピクチャインピクチャの画像合成を行うように指示する。
【００４８】
その結果、画像合成部３０８からは図７で示したような特殊効果処理画像７０１の中に縮小したカメラ画像７０２を合成した画像信号が生成され表示部３０９に出力される。
【００４９】
一方、特殊効果確認スイッチ３１１ａが押下されていない場合、制御部３１０は画像合成部３０８に対し３０８ａから入力された画像のみを表示するよう指示する。その結果、画合成部３０８からは図５に示すカメラ画像が出力され、表示部３０９に表示される。
【００５０】
なお、特殊効果表示スイッチ３１１ａが押下されていない場合、図８に示すようにカメラ画像８０１の中に特殊効果処理画像８０２を小さく縮小して合成した画像を表示部３０９に表示しても良い。
【００５１】
このように特殊効果表示スイッチ３１１ａの操作により画像合成部３０８を適宜制御することでカメラ画像と伸張画像に特殊効果処理を施した画像とを各々が確認しやすい大きさに合成して表示させることができる。言い換えれば前述したように合成表示することにより、録画を開始する前に、現在撮影しているカメラ画像を圧縮処理して記録再生した時の画像に対して特殊効果を施した場合、どのような画像になるかを撮影時に容易に確認できるようなる。
【００５２】
そして確認した結果に問題がなければ操作部３１１内の録画開始スイッチを押下して記録を開始する。また確認した結果、特殊効果を施しても所望の画像とならないと判断した場合は他の特殊効果を選択したり、特殊効果を施さない設定にしたりすればよい。
【００５３】
なお、本実施形態においても記録媒体３０４には図２に示すように、圧縮画像データ２０２の付加情報として特殊効果情報２０１が記録される。
【００５４】
次に図３に示す撮像装置の再生時の動作について説明する。再生時に記録再生部３０３は、記録媒体３０４内に図２で示したように記録されている圧縮画像データ２０２、特殊効果情報が記録されている場合はさらに特殊効果情報２０１を読み出す。再生された圧縮画像データは画像伸張部３０５に入力される。また再生された特殊効果情報は制御部３１０を経由して特殊効果処理部３０７に入力される。
【００５５】
画像伸張部３０５では圧縮された画像データが伸張されベースバンドの伸張画像に変換される。画像選択部３０６は制御部３１０からの制御信号により端子３０６ｂから入力される伸張画像を選択するよう動作する。選択された画像、即ち記録媒体３０４から再生された画像は特殊効果処理部３０７へ入力される。特殊効果処理部３０７では再生された特殊効果情報に応じた特殊効果処理が行われる。そして特殊効果が施された画像は画像合成部３０８の端子３０８ｂに入力される。
【００５６】
再生時において制御部３１０は画像合成部３０８に対し端子３０８ｂから入力された画像のみを表示するよう指示する。その結果、画像合成部３０８からは記録媒体３０４から再生された伸張画像に対して特殊効果処理が施された画像が出力され、画像表示部３０９に表示される。
【００５７】
このようにして画像表示部３０９に再生表示された画像は、撮影前に事前に特殊効果の確認ができているので、第１の実施形態と同様に再生画像が意図しない特殊効果画像になってしまうことはなくなる。
【００５８】
なお、前述した画像合成部３０８における画像の合成方法は必ずしも図７、図８で示したのようにピクチャインピクチャである必要はない。例えば特殊効処理画像を確認する場合、図９に示すように画面を２分割してカメラ画像９０１と特殊効果処理画像９０２とを合成するようにしても良い。
【００５９】
また特殊効果処理画像を表示する際に、特殊効果の種類によっては拡大して表示した方がより詳細に確認できる場合がある。例えば従来例で述べたフィルムグレイン処理は画像に細かな粒子状のノイズが付加されるので画像を拡大して表示した方が効果を確認しやすい。その場合、図１０で示したように特殊効果処理画像１００１中に別途指定した任意の領域１００２を拡大して図１１の１１０１の如く表示し、カメラ画像は図１１中１１０２の如く縮小して合成してもよい。
【００６０】
また必ずしも特殊効果処理画像を表示する際に特殊効果処理画像とカメラ画像とを合成して表示する必要はない。例えば前述した図１０に示した特殊効果処理された画像の領域１００２を拡大して図１２の１２０１の如く表示し、同じ特殊効果処理画像の全体を図１２中１２０２の如く縮小して合成してもよい。また図１２の１２０２に示す縮小画像を表示しないように制御しても良い。
【００６１】
さらに、図１３で示した特殊効果処理画像の全体１３０１を図１４中１４０１の如くそのまま表示し、同図中の任意の領域１３０２を図１４の１４０２の如く拡大して、表示画面の一部分に表示するようにしても良い。
【００６２】
また、特殊効果確認スイッチの状態に関わらず、常に設定された特殊効果処理を施した画像を図８に示したように画面の一部に表示させておいても良い。
【００６３】
また本実施形態では画像圧縮の方式をＭＰＥＧ２として説明したが、ローカルデコード画像が得られる方式であれば特に画像圧縮方式は何でも良い。例えば近年ＩＴＵ−Ｔ（国際電気通信連合 電気通信標準化部門）とＩＳＯ（国際標準化機構）により標準化されたＨ．２６４／ＭＰＥＧ−４ ｐａｒｔ１０という符号化方式を用いても良い。
【００６４】
以上の合成表示例で説明したように、画像を合成する際、カメラ画像と特殊効果処理画像を任意の位置、任意の倍率、任意の大きさで組み合わせて表示することが可能であり、いずれの合成方法を用いても特殊効果処理画像の確認が可能であれば、本発明の範疇に入ることは言うまでも無い。
【００６５】
このように、上述した実施形態によれば、撮影前においても、圧縮伸張された画像に対して特殊効果処理を行った画像を容易に確認できるので、意図しない特殊効果処理を設定し記録してしまうことを防止できる。よって、再生画像が意図しない特殊効果画像になってしまうことも防止できる。
【００６６】
また、本発明はカメラ部の信号処理や画像圧縮処理等をハードウェアにより実施した場合でも、コンピュータを用いたソフトウェア処理にて実施した場合でも適用することができ、同様な効果を得ることが可能である。この場合、前記ソフトウェアのプログラムコード自体が前述した実施の形態の機能を実現することになり、そのプログラムコード自体、およびそのプログラムコードをコンピュータに供給するための手段、例えばかかるプログラムコードを格納した記憶媒体は本発明を構成する。かかるプログラムコードを記憶する記憶媒体としては、例えばフロッピー（登録商標）ディスク、ハードディスク、光ディスク、光磁気ディスク、ＣＤ−ＲＯＭ、磁気テープ、不揮発性のメモリカード、ＲＯＭ等を用いることができる。
【００６７】
また、コンピュータが供給されたプログラムコードを実行することにより、上述の実施の形態で説明機能が実現されるだけでなく、そのプログラムコードがコンピュータにおいて稼働しているＯＳ（オペレーティングシステム）或いは他のアプリケーションソフト等の共同して上述の実施の形態で示した機能が実現される場合にもかかるプログラムコードは本発明の実施形態に含まれることは言うまでもない。
【００６８】
更に、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施の形態の機能が実現される場合にも本発明に含まれる。
【図面の簡単な説明】
【００６９】
【図１】本発明の第１の実施形態に係る撮像装置の構成を示すブロック図である。
【図２】記録媒体に記録された圧縮画像データと特殊効果情報を示す概略図である。
【図３】本発明の第２の実施形態に係る撮像装置の構成を示すブロック図である。
【図４】ローカルデコード画像やＭＰＥＧ２方式を用いた画像圧縮部の詳細な構成を示す図である。
【図５】本発明の第２の実施形態におけるカメラ画像の一例を示す図である。
【図６】本発明の第２の実施形態における特殊効果処理画像の一例を示す図である。
【図７】本発明の第２の実施形態における画像合成例を示す図である。
【図８】本発明の第２の実施形態における画像合成例を示す図である。
【図９】本発明の第２の実施形態における画像合成例を示す図である。
【図１０】本発明の第２の実施形態における特殊効果処理画像と拡大領域を示す図である。
【図１１】本発明の第２の実施形態における画像合成例を示す図である。
【図１２】本発明の第２の実施形態における画像合成例を示す図である。
【図１３】本発明の第２の実施形態における特殊効果処理画像と拡大領域の他の例を示す図である。
【図１４】本発明の第２の実施形態における画像合成例を示す図である。
【符号の説明】
【００７０】
１０１、３０１  カメラ部
１０２、３０２  画像圧縮部
１０３、３０３  記録再生部
１０４、３０４  記録媒体
１０５、３０６  データ選択部
１０６、３０５  画像伸張部
１０７、３０７  特殊効果処理部
１０８  画像選択部
３０８  画像合成部
１０９、３０９  画像表示部
１１０、３１０  制御部
１１１、３１１  操作部
２０１  特殊効果情報
２０２  圧縮画像データ
４０１、４０９  フレームメモリ
４０２  減算器
４０３  ＤＣＴ変換部
４０４  量子化部
４０５  可変長符号化部
４０６  逆量子化部
４０７  逆ＤＣＴ変換部
４０８  加算器
４１０  動き補償部
４１１  動き検出部
４１２、４１３  スイッチ
【図１】
2006324802.tif 000003
【図２】
2006324802.tif 000004
【図３】
2006324802.tif 000005
【図４】
2006324802.tif 000006
【図５】
2006324802.tif 000007
【図６】
2006324802.tif 000008
【図７】
2006324802.tif 000009
【図８】
2006324802.tif 000010
【図９】
2006324802.tif 000011
【図１０】
2006324802.tif 000012
【図１１】
2006324802.tif 000013
【図１２】
2006324802.tif 000014
【図１３】
2006324802.tif 000015
【図１４】
2006324802.tif 000016